(57)【要約】【課題】  粘性の有無と無関係に、収納液体を巾広にかつ薄く塗布でき、又容器内へ外気が流入せず、よって弾性胴部圧搾で直ちに流出でき、又収納液体減少による容器の変形も生じないよう設けた。【解決手段】  容器体を、収縮可能な内層筒５と弾性変形する外層筒４とを層着させたデラミボトル１で形成し、該ボトルの口頸部３へ下方筒部を嵌合させて、上面を閉塞する頂板25の一方側部から他方側部へ細長の吐出口27を穿設した筒状塗布部材11を起立させ、その塗布部材の下部内面へは、自動閉塞式の吐出弁20を設けた。【選択図】  図１
2005212880.tif 000002
【特許請求の範囲】
【請求項１】
口頸部３を起立すると共に外層筒４一部に外気流入口８を穿設した弾性圧搾可能なデラミボトル１と、上記口頸部へ下方筒部を嵌合させて起立し、上面を閉塞する頂板25へ吐出口27を、頂板一方側部から対向側部へ横設した筒状塗布部材11とを有し、
該塗布部材の下部内面へは、自動閉塞式の吐出弁20を設けた
ことを特徴とする流動体塗布容器。
【請求項２】
上記塗布部材11を、上記吐出弁20付きの下部材12と、該下部材上部へ下端部を嵌合させて起立する上部材21とで形成し、該上部材上部は吐出口27と同方向へ長く形成し、かつ吐出口27は両端部を透孔27a に、両端部間をそれ等両透孔間を連通する上面開口の溝27b として形成した
ことを特徴とする、請求項１記載の流動体塗布容器。
【請求項３】
上記デラミボトル口頸部３の下端部を大外径部７としておき、口頸部外面へ螺合させた装着筒32下端を大外径部７外面へ気密に嵌合させると共に、装着筒32から外向きフランジ33を介して起立する保持筒34上端を上記塗布部材11の上部外面へ気密に嵌合させ、又保持筒34から垂下させた外装筒35下端をデラミボトル胴部の上部外面へ嵌合させたカバー部材31を設け、
収納流動体減少でデラミボトル内が負圧化したとき、外装筒35一部へ設けた外気吸入口37と、外向きフランジ33の上面一部へ設けた外気吸入弁36と、口頸部３下方の外層筒４部分へ設けた外気流入口８とを通って、外気がデラミボトル１の内外層筒５，４間へ流入可能に形成した
ことを特徴とする、請求項１又は２記載の流動体塗布容器。
【請求項４】
上記デラミボトル口頸部３の下端を大外径部７としておき、該口頸部外面へ螺合させた装着筒32下端を大外径部７外面へ気密に嵌合させると共に、装着筒32上端から外向きフランジ33を介し起立する保持筒34上端を上記塗布部材11の上部外面へ気密に嵌合させ、又保持筒34から垂下させた外装筒35下端をデラミボトル胴部の上部外面へ嵌合させたカバー部材31を設け、
収納流動体減少でデラミボトル内が負圧化したとき、外装筒35一部へ設けた外気吸入口37と、上記保持筒34上部へ設けた外気流通孔54と、保持筒34下部と塗布部材11下部との間に設けた外気吸入弁36と、口頸部３下方の外層筒４部分へ設けた外気流入口８とを通って、外気がデラミボトルの内外層筒５，４間へ流入可能に形成した
ことを特徴とする、請求項１又は２記載の流動体塗布容器。
【発明の詳細な説明】
【技術分野】
【０００１】
本発明は粘性を有する液体、又粘性を有しない液体塗布用の容器に関する。
【背景技術】
【０００２】
液体塗布容器として従来種々のものが知られている。例えば容器体口頸部内へ栓保持筒を嵌合させ、又該栓保持筒内へ上方付勢させて吸液部材付きの塗布栓部材を嵌合させておき、別に設けたキャップを容器体口頸部へ螺合すると塗布栓部材が外向きフランジを介して押下げられて吸液部材への液体供給路が閉塞するようにした容器が知られている（特許文献１）。
【特許文献１】特開２００２−３２６６５３号公報
【発明の開示】
【発明が解決しようとする課題】
【０００３】
上記従来の液体塗布容器は、塗布材として吸液部材を使用するから、粘性を有して吸液され難いクリーム状の液体塗布には不向きであった。
【０００４】
本発明はそのような粘性を有する液体でも、又粘性を有しない液体でも共に塗布できると共に、又その塗布を巾広に行うことが出来るよう設けたものである。
【課題を解決するための手段】
【０００５】
第１の手段として口頸部３を起立すると共に外層筒４一部に外気流入口８を穿設した弾性圧搾可能なデラミボトル１と、上記口頸部へ下方筒部を嵌合させて起立し、上面を閉塞する頂板25へ吐出口27を、頂板一方側部から対向側部へ横設した筒状塗布部材11とを有し、
該塗布部材の下部内面へは、自動閉塞式の吐出弁20を設けた。
【０００６】
第２の手段として、上記第１の手段を有すると共に上記塗布部材11を、上記吐出弁20付きの下部材12と、該下部材上部へ下端部を嵌合させて起立する上部材21とで形成し、該上部材上部は吐出口27と同方向へ長く形成し、かつ吐出口27は両端部を透孔27a に、両端部間をそれ等両透孔間を連通する上面開口の溝27b として形成した。
【０００７】
第３の手段として、上記第１、又は第２の手段を有すると共に上記デラミボトル口頸部３の下端部を大外径部７としておき、口頸部外面へ螺合させた装着筒32下端を大外径部７外面へ気密に嵌合させると共に、装着筒32から外向きフランジ33を介して起立する保持筒34上端を上記塗布部材11の上部外面へ気密に嵌合させ、又保持筒34から垂下させた外装筒35下端をデラミボトル胴部の上部外面へ嵌合させたカバー部材31を設け、
収納流動体減少でデラミボトル内が負圧化したとき、外装筒35一部へ設けた外気吸入口37と、外向きフランジ33の上面一部へ設けた外気吸入弁36と、口頸部３下方の外層筒４部分へ設けた外気流入口８とを通って、外気がデラミボトル１の内外層筒５，４間へ流入可能に形成した。
【０００８】
第４の手段として、上記第１又は第２の手段を有すると共に上記デラミボトル口頸部３の下端を大外径部７としておき、該口頸部外面へ螺合させた装着筒32下端を大外径部７外面へ気密に嵌合させると共に、装着筒32上端から外向きフランジ33を介し起立する保持筒34上端を上記塗布部材11の上部外面へ気密に嵌合させ、又保持筒34から垂下させた外装筒35下端をデラミボトル胴部の上部外面へ嵌合させたカバー部材31を設け、
収納流動体減少でデラミボトル内が負圧化したとき、外装筒35一部へ設けた外気吸入口37と、上記保持筒34上部へ設けた外気流通孔54と、保持筒34下部と塗布部材11下部との間に設けた外気吸入弁36と、口頸部３下方の外層筒４部分へ設けた外気流入口８とを通って、外気がデラミボトルの内外層筒５，４間へ流入可能に形成した。
【発明の効果】
【０００９】
請求項１記載のように形成することで、デラミボトル胴部の弾性圧搾で、吐出弁20を通って塗布部材11内へ入った流動体は、流動体の粘性が大であれば胴部圧搾を継続することで、又粘性が少なければ胴部圧搾を開放して吐出弁が閉じた状態でも、容器を倒立させて連続して流動体を流出させることが出来、広い範囲を一回で塗布することが出来る。
【００１０】
又塗布部材11の下部内へは自動閉塞する吐出弁20を設け、容器体は外層筒４一部に外気流入口８を有するデラミボトル１で形成したから、収納流動体減少によるデラミボトル内の負圧化は、上記外気流入口８からボトルの内外層筒間へ入った外気によって解消でき、よって内層筒５内へ外気が流入するおそれがなく、従って又塗布部材11内を通って外気がボトル内へ入ることがない。
【００１１】
請求項２のようにすることで、吐出口27の長さを大とすることが出来て刷毛状に巾広に塗布でき、又吐出口両端を透孔にそれ等両透孔間を上面開口で両透孔を連通する溝27b とすることで、流出する流動体を巾広に延ばして塗布することが出来る。
【００１２】
請求項３および４のようにすることで、カバー部材31で塗布部材11を確実に保持させることが出来ると共に外気流入路途中に外気吸入弁36を設けることとなるため、ボトルの胴部圧搾時にデラミボトルの内外層筒間の空気が外気流入路を逆流してボトル外方へ洩れることはなく、よって上記胴部の弾性圧搾を確実かつ容易に行うことが出来る。
【発明を実施するための最良の形態】
【００１３】
まず、図１から図６が示す第１実施形態について説明すると、１は胴部２上端から肩部を介して口頸部３を起立する公知のデラミボトルで、外層筒４の内面へ剥離可能に収縮可能な内層筒５を付設しており、その口頸部３上部へは雄ねじ６を付設し、その雄ねじ歯先円とほぼ同外径の大外径部７を口頸部下端に形成している。又上記雄ねじ下端と大外径部７との間の口頸部外層筒部分へは、外気流入口８を穿設している。
【００１４】
11は上記口頸部３へ下方筒部を螺合させて起立する筒状の塗布部材で、図示例では下部材12と該下部材上端へ、下端筒部を嵌合させて起立する上部材とで形成している。
【００１５】
下部材12は、横板13外周部を下向き段部として口頸部３の上端面へ載置させ、かつ横板下方筒部14を口頸部３内面へ嵌合させ、上方筒部15を横板13外周から起立している。横板中央部には弁孔16を穿設し、又下部材の上半内へは第１弁部材17を嵌合させている。該第１弁部材は図３のように上方筒部15内へ嵌合させた筒下端縁から同一周方向へ複数の弾性片18を突出し、かつそれ等弾性片先端を、横板上へ載置させて弁孔16を閉塞する弁板19外面へほぼ等間隔に付設して形成しており、それ等弁孔16と弁板19とで自動閉塞、つまりボトル内高圧化で弾性に抗して弾性片が弾性変形して開弁し、上記高圧状態解消で弾性復元して閉弁する吐出弁20を形成している。
【００１６】
上部材21は、下端筒部を内外二重筒として該二重筒22を上記下部材12上端筒部の内外面へ嵌合させ、二重筒上方の筒部分23上端から、上外方への板部を介して図５が示すように、左右方向が長いほぼ長方形状の筒部24を起立し、かつ該筒部上面を頂板25で、該頂板外周から垂下させた周壁を筒部外面へ嵌合させることで閉塞している。
【００１７】
図示例において、上部材21内へは筒部24の左右側板に連結させて複数の縦板状の仕切り板26をほぼ等間隔に横設しており、又上記頂板25の前後方向中間には、頂板左右一方の側部から、他方側部へ細長の吐出口27を穿設している。該吐出口は、左右両側部を透孔27a とし、これ等両透孔間上面は両透孔を連通する溝27b としている。
【００１８】
上記各仕切り板26の下端と、上部材21の下方筒部との間、又仕切り板上端と頂板25との間には間隙を設け、既述吐出弁を通って上部材内へ入った流動体は、各仕切り板間、および前後仕切り板と頂板から垂下する嵌合壁との間を通って上昇し、又各仕切り板上端と頂板25との間を通って上記吐出口27の透孔27a から流出し、頂板上面を被塗布面に沿い摺動させることで、流出液体は溝27b 内へも入り、頂板上面で引延ばされた状態で塗布される。
【００１９】
31はカバー部材で、ボトル口頸部３の外面へ螺合させた装着筒32上端から、外向きフランジ33を介して保持筒34を起立し、該保持筒上端から下外方へ外装筒35を垂下させ、又図１が示すように外向きフランジの左右両部上面へは外気吸入弁36を設けている。該弁は、内層筒５内の負圧化で外装筒35下端に設けた外気吸入口37としての切欠きから入った外気が、外向きフランジに穿設した弁孔38を通ってカバー部材31と塗布部材11との間へ入り、又カバー部材の装着筒32とボトルの口頸部３間を通って、更に口頸部下部の外層筒４部分へ穿設した外気流入口８を通って該ボトルの外層筒４と内層筒５との間へ流入するよう設けたものであり、図示例では、外向きフランジ左右両部上面へ上面開口の円筒状弁室39を設け、該室内へ既述吐出弁20の第１弁部材17と同一形状で小形の第２弁部材40を嵌合させ、又弁室上端内へ押え筒41を嵌合させてその第２弁部材の上方抜出しを防止している。該第２弁部材は第１弁部材と同一構造であるため説明を省略する。
【００２０】
尚既述装着筒32下端は口頸部３下端の大外径部７外面へ気密に嵌合させており、又保持筒34上部は、塗布部材11の上部外面へ、水密に嵌合させている。
【００２１】
図７と図８とは、第２実施形態を示す。既述第１実施形態と同一部分については同一符号を付することで説明を省略し、相違部分についてだけ説明すると、主として外気吸入弁36を異にする。該実施形態にあっては、既述第１弁部材17の筒部を下部材12の上方筒部15よりも長く設け、かつその筒部上端へ、上部材21下端の二重筒22を嵌着させ、下部材12上端と二重筒部下端との上方露出部分外面から外向きフランジ状に弾性弁板51を突出させて、カバー部材31の保持筒34下部内へ嵌合させた押え部材52の内向きフランジ53下面へ圧接させて、それ等弾性弁板51と内向きフランジ53とで外気吸入弁36を形成している。尚押え部材は保持筒内面へ嵌着させた筒上端から上記内向きフランジ53を突出している。
【００２２】
又保持筒34上部には外気流通孔54を穿設しており、該第２実施形態の場合は、デラミボトル内層筒５内の負圧化で、外装筒35下端の外気吸入口37から入った外気が外気流通孔54、外気吸入弁36、更に口頸部３と装着筒32との間、および外気流入口８を通ってデラミボトルの内外両層筒５，４間へ流入して内層筒５だけが収縮する。
【００２３】
既述各実施形態にあっては外気吸入弁36を設けたが、該弁を設けない場合は、弾性を有する外層筒４圧搾時に内外両層筒間の空気が外気流入口８から逃げて内層筒５の圧搾が不能となることを防止するため、外層筒４圧搾の都度、外気流入口８を指等で閉塞することが必要となる。よってその外気流入口は、デラミボトルの胴部等、その閉塞が容易な場所へ設けることが必要である。
【図面の簡単な説明】
【００２４】
【図１】本発明容器の左右方向縦断面図である。
【図２】図１要部の分解図である。
【図３】図１容器に使用している吐出用弁部材の平面図ある。
【図４】図１容器の前後方向縦断面図である。
【図５】図１容器に使用している部材の斜視図である。
【図６】図１容器の平面図である。
【図７】第２実施形態で示す容器左右方向縦断面図である。
【図８】図６容器の前後方向縦断面図である。
【符号の説明】
【００２５】
１  デラミボトル                    ４  外層筒
５  内層筒                          ７  大外径部
８  外気流入口                      11  塗布部材
12  下部材                          16  弁孔
21  上部材                          27  吐出口
31  カバー部材                      32  装着筒
34  保持筒                          35  外装筒
36  外気吸入弁                      37  外気吸入口
38  弁孔                            40  第２弁部材
【図１】
2005212880.tif 000003
【図２】
2005212880.tif 000004
【図３】
2005212880.tif 000005
【図４】
2005212880.tif 000006
【図５】
2005212880.tif 000007
【図６】
2005212880.tif 000008
【図７】
2005212880.tif 000009
【図８】
2005212880.tif 000010